(57)【要約】【課題】安価なコストで簡単に製造可能で、かつ開平操作が容易な小物収納ケースを提供する。【解決手段】基盤シート１２上に該基盤シート１２を一面とする中空体からなる小物収納部１１が形成され、該小物収納部１１が前記中空体の両端面に蓋部１３を有し、該蓋部１３の少なくとも一側にスライドさせることにより収納部の開閉が可能な引手面１４が備えられ、好適には、前記小物収納部１１が、引手面１４である突起部を備えた一の長方形状シート部材を中空角柱状に折り曲げて形成され、前記蓋部１３が、前記折り曲げられた側面のうち前記基盤シート１２と対面する側の側面頂部１５ａの両端部を、該基盤シート１２側に折り込むことにより中空を封止可能に形成されることを特徴とする。【選択図】      図１
2004231256.tif 000002
【特許請求の範囲】
【請求項１】
基盤シート上に、該基盤シートを一面とする中空体からなる小物収納部が形成され、該小物収納部が前記中空体の両端面に蓋部を有し、該蓋部の少なくとも一側に、外側へスライドさせることにより前記小物収納部の開閉が可能な引手面を備えたことを特徴とする小物収納ケース。
【請求項２】
前記基盤シートと前記小物収納部が、一のシート部材で形成されることを特徴とする請求項１記載の小物収納ケース。
【請求項３】
前記基盤シートの露出部分に、効能書き等の文            字、図柄表示面を設けたことを特徴とする請求項１若しくは２記載の小物収納ケース。
【請求項４】
前記小物収納部は、中空体断面が前記基盤シート側を長辺とする台形状であることを特徴とする請求項１若しくは２記載の小物収納ケース。
【請求項５】
前記小物収納部が、引手面である突起部を備えた一の長方形状シート部材を中空角柱状に折り曲げて形成され、前記蓋部が、前記折り曲げられた側面のうち前記基盤シートと対面する側の側面の両端部を、該基盤シート側に折り込むことにより中空を封止可能に形成されるとともに、前記蓋部に引手面を備えたことを特徴とする請求項１記載の小物収納ケース。
【請求項６】
請求項１乃至５の何れかに記載の小物収納ケースが、前記小物収納部に化粧品、薬品若しくは菓子類を収納するサンプルケースであることを特徴とする小物収納ケース。
【発明の詳細な説明】
【０００１】
【発明の属する技術分野】
本発明は、化粧品、薬品若しくは菓子類のサンプル等の小物を収納保持するための小物収納ケースに関する。
【０００２】
【従来の技術】
化粧品、薬品若しくは菓子類のサンプル等の小物を収納するケースとして、例えば特許第３０４８０５３号公報（特許文献１）等に開示されるような直方体状箱体が多く用いられている。このような収納ケースは、その収納物或いは用途によって違いはあるものの、一般に必要とされる条件として開閉操作が容易であること、収納物の揺動を防止する保持機能を有していること、形崩れしないこと、簡単に製造可能であること、等が挙げられる。
【０００３】
特に、サンプル等のように宣伝を目的としている場合は、対象とする製品を少量だけパッケージングしてケースに収納され、広く多人数に配布されるために安価にかつ簡単に製造可能であることが求められる。また、宣伝効果を高めるために、ケース本体に商品名、商品の効能書き等の文字若しくは商品写真、イラスト等の図柄を表示可能な構成であることが好ましい。
【０００４】
そこで、実開平６−１４０６９号公報（特許文献２）には、説明書等の文字を記載可能な表紙部分、背表紙部分、裏表紙部分とからなるシート状本体と、サンプル収納用切欠きが形成された発泡プラスチック製厚板とからなるサンプルケースが開示されている。これによれば、宣伝効果も高くかつサンプルの保管にも適したサンプルケースが提供できる。
【０００５】
【特許文献１】
特許第３０４８０５３号公報
【特許文献２】
実開平６−１４０６９号公報
【０００６】
【発明が解決しようとする課題】
前記したように、広く大多数に配布する場合、特にサンプルなどのように無料で配布する場合には安価なコストで製造することが重要な条件となる。従って、複雑な構造を有するものや複数の部材を使用するものは製造コスト、材料コストが嵩み、利用範囲が限られてしまい実用性に欠ける。
そこで、本発明はかかる従来技術の問題に鑑み、安価なコストで簡単に製造可能で、かつ開閉操作が容易な小物収納ケースを提供することを目的とする。
【０００７】
【課題を解決するための手段】
そこで、本発明はかかる課題を解決するために、
基盤シート上に、該基盤シートを一面とする中空体からなる小物収納部が形成され、該小物収納部が前記中空体の両端面に蓋部を有し、該蓋部の少なくとも一側に、外側へスライドさせることにより前記小物収納部の開閉が可能な引手面を備えたことを特徴とし、好適にはかかる小物収納ケースを、前記小物収納部に化粧品、薬品若しくは菓子類を収納するサンプルケースとして利用する。
【０００８】
かかる発明は、台紙となる基盤シート上に形成された小物収納部に、引手面を有する蓋部を備えた小物収納ケースであって、該引手面のスライド操作のみでケースの開閉が可能であるため、非常に簡単な操作でケースを取り扱うことができる。前記引手面、即ち開閉可能な蓋部は前記収納部の両端に設けても良いし、一端のみに設けても良い。
【０００９】
また、前記基盤シートと前記小物収納部が、一のシート部材で形成されていることが好適で、これにより簡単な構造かつ安価な材料コストででかかる収納ケースを製造することができ、製造コストの低廉化が図れる。
さらに、前記基盤シートの露出部分に、効能書き等の文字、図柄表示面を設けたことを特徴とする。かかる発明は、例えば小物収納ケースに収納する製品に関する説明書き、効能書き、宣伝文句等の文字や、該製品のイラスト、写真等の図柄を記載可能な図柄表示面を設けることにより、かかる小物収納ケースを多目的に利用することができ、また収容する製品の宣伝効果を向上させることができる。
勿論、前記基盤シートは、露出部分を設けず、前記中空体の底面の機能のみを果す構造でも良い。このとき、前記文字、図柄は前記小物収納部表面のみに表示する。
【００１０】
また、前記小物収納部は、中空体断面が前記基盤シート側を長辺とする台形状であることを特徴とする。これにより、前記引手面をスライドさせた際に円滑に蓋部を開閉することができる。さらに、このように前記中空断面を台形状に形成することで、ケース製造段階において誤差が少なく均一な製品を安定して供給することができる。
【００１１】
さらにまた、前記小物収納部が、引手面である突起部を備えた一の長方形状シート部材を中空角柱状に折り曲げて形成され、前記蓋部が、前記折り曲げられた側面のうち前記基盤シートと対面する側の側面の両端部を、該基盤シート側に折り込むことにより中空を封止可能に形成されるとともに、前記蓋部に引手面を備えたことを特徴とする。
かかる発明によれば、簡単な構造でかつ開閉操作が容易なケースを提供することができる。
【００１２】
【発明の実施の形態】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
図１は本発明の実施形態に係る小物収納ケースの全体斜視図、図２は図１の小物収納ケースの開閉操作を示す説明図、図３及び図４は本発明の第１、第２実施例に係る小物収納ケースの展開図である。
【００１３】
本実施形態に係る小物収納ケース１０は、例えば化粧品、薬品若しくは菓子類のサンプルを収納する用途に利用でき、図１に示されるように、長方形状の紙材若しくは樹脂材等のシート部材で形成される基盤シート１２と、該基盤シート１２上に載設された小物収納部１１とから構成される。
前記基盤シート１２と前記小物収納部１１は、図１に示されるように一のシート部材を折曲線２０で折り返して接着面２４で貼着し一体的に構成しても良いし、別部材を接着することにより組み立てても良い。
【００１４】
また、前記基盤シート１２は、前記小物収納部１１の載設面以外の部位に表面に露出する余剰部を設け、例えばかかるケース１０に収納する小物製品の説明書き、効能書き、宣伝文句等の文字や、該製品のイラスト、写真等の図柄を記載可能な文字、図柄表示部１６としている。これにより、小物収納ケース１０を多目的に利用することが可能となり、また収容する製品の宣伝効果が向上する効果が得られる。
勿論、前記基盤シート１２は、露出部分を設けず、前記中空体の底面の機能のみを果す構造でも良い。このとき、前記文字、図柄は前記小物収納部１１の表面に表示する。
【００１５】
前記小物収納部１１は、前記基盤シート１２を一面とし、他面を側面１５で囲繞された角柱状中空体と、該中空体の両端部に設けられた折り代１３ａを含む蓋部１３とで構成され、該中空体を前記蓋部１３で封止可能に構成される。該中空体断面は、前記基盤シート１２側面を長辺とした台形状を成す。前記蓋部１３は、前記基盤シート１２と対面する側の側面頂部１５ａの両端を該基盤シート１２側に垂直に折り込んだ形状となっており、これにより生じた前記基盤シート１２と側面頂部１５ａとの寸法の差を折り代１３ａで吸収する仕組みとなっている。
【００１６】
さらに、前記蓋部１３の先端には突起状の引手面１４が形成されており、矢印Ａ方向にスライドさせることにより開閉自在に構成される。該引手面１４は、多角形状でも良いし、円形状でも良い。
図２にはかかる小物収納ケースの開閉操作を説明する図を示し、図２（ａ）は両蓋１３、１３を全開した状態、（ｂ）は蓋１３を折り込む状態、（ｃ）は蓋１３をスライドさせて収納部を封止する状態を表す。
【００１７】
図２（ａ）の小物収納ケース１０の全開状態において、蓋部１３を含めた前記小物収納部１１は中空多角柱状をなし、前記側面頂部１５ａから蓋部１３を介して前記引手面１４が突出する形状となっている。小物製品を小物収納部１１の中空部に挿入した後、図２（ｂ）のごとく該引手面１４を矢印Ｂ方向に押し込みながら、（ｃ）のごとく矢印Ｃ方向にスライドさせ、中空体開口を封止する。
このような構造とすることで、かかる小物収納ケース１０を簡単に開閉操作することができる。
【００１８】
図３及び図４には、本発明の第１、第２実施例に係る小物収納ケース１０の展開図を示す。
図３に示す第１実施例に係る小物収納ケース１０は、凸状の引手面１４を備えた長方形状シート部材に、小物収納部１１を形成するための折曲線２０及びこれに平行に３本の折曲線を有するとともに、蓋部１３を形成するための折曲線２２を有している。前記折曲線２０を含む３本の折曲線により小物が収納可能な中空体が形成され、裏面１７が底面側、側面頂部１５ａが頂面となるように組みたてられる。さらに、前記引手面１４が容易に摺動可能なように折り代１３ａに折曲線２１を設けている。該引手面１４は、長方形の隣接する２つの角を切り欠いた六角形状をなし、利用者がスライドし易い大きさに適宜設定する。
【００１９】
また、図４に示す第２実施例に係る小物収納ケース１０は、前記第１実施例と略同様の構成を有しているが、前記折り代１３ａに折曲線２１を設けず、該折り代１３ａと側面１５との境界に段差部２３を設けることにより該引手面１４が摺動し易い構成としている。さらに、該引手面１４を、隣接する２つの角をＲ状とした略長方形状を成している。
このように、前記第１、第２実施例によれば、かかる小物収納ケース１０は一のシート部材で形成可能であるため、簡単にかつ安価な製造コストで大量生産ができる。
【００２０】
【発明の効果】
以上記載のごとく本発明によれば、引手面のスライド操作のみでケースの開閉が可能であるため、非常に簡単な操作でケースを取り扱うことができ、かつ簡単な構造であるため低コストで製造可能である。
また、前記基盤シートと前記小物収納部を、一のシート部材で形成することにより、製造コストの低廉化が見込める。
さらに、前記基盤シートの露出部分に、効能書き等の文字、図柄表示面を設けることにより、小物収納ケースを多目的に利用することができ、また収容する製品の宣伝効果が向上する。
【図面の簡単な説明】
【図１】本発明の実施形態に係る小物収納ケースの全体斜視図である。
【図２】図１の小物収納ケースの開閉操作を示す説明図である。
【図３】本発明の第１実施例に係る小物収納ケースの展開図である。
【図４】本発明の第２実施例に係る小物収納ケースの展開図である。
【符号の説明】
１０    小物収納ケース
１１    小物収納部
１２    基盤シート
１３    蓋部
１３ａ  折り代
１４    引手面
１５    側面
１５ａ  側面頂部
１６    文字、図柄表示部
１７    裏面
１８    折り代
２０、２１、２２    折曲線
２３    段差部
２４    接着面
【図１】
2004231256.tif 000003
【図２】
2004231256.tif 000004
【図３】
2004231256.tif 000005
【図４】
2004231256.tif 000006